(57)【要約】【課題】画像表示装置の画質設定時に、作業者が容易に認識可能な形式の目標値行列情報に基づき、所望のガンマ特性値を設定可能にする。【解決手段】受像機の特性値変更部は、入力信号に対しガンマ補正処理をした後の出力信号のレベルを測定する測定部と、測定部により測定された測定値と記憶部に記憶された目標値行列情報から算出された出力信号のレベルの値に対応する目標値とを比較しガンマ特性値を変更する特性値設定部を有している。目標値行列情報中には、各行に数ビットの１の値を有し、その他のビットは０の値を有する８バイトの行列が含まれている。当該行列は、列方向が出力信号のレベルの大小を示す縦軸に対応し、行方向が入力信号のレベルの大小を示す横軸に対応し、その行列中の１の値の位置により、入力信号のレベルに対応する出力信号の値を作業者が１対１の関係で把握可能なグラフ状に構成されている。【選択図】図３
2009103859.tif 000002
【特許請求の範囲】
【請求項１】
複数の画素がオン／オフ駆動されることにより画像を表示する液晶表示パネルと、
外部から入力された入力信号を処理し出力信号として出力する制御部と、
前記複数の画素それぞれに、前記制御部から出力された出力信号の出力レベルに応じた電圧を印加し、各画素を前記出力信号に対応する階調で駆動する駆動回路とを備え、
前記制御部は、
外部から入力される入力信号と前記出力信号との対応関係を示すガンマ特性値を記憶する記憶部と、
前記記憶部が記憶しているガンマ特性値に応じて前記入力信号についてガンマ補正処理を実行する信号処理部とを有する画像表示装置において、
前記制御部は、前記記憶部に目標値が記憶されているとき、その目標値に基づき前記ガンマ特性値を変更する特性値設定処理を実行可能な特性値設定部を有しており、
前記特性値設定部は、前記記憶部に、所定の情報量で、視認できる状態で出力したときに作業者が図形として認識可能な所定形式の文字又は値の行列として記録された目標値行列情報を読み取り、その目標値行列情報から算出した数値を前記目標値として前記特性値設定処理を実行可能に構成されていることを特徴とする画像表示装置。
【請求項２】
前記特性値設定部は、前記記憶部に所定の態様の文字又は値の羅列を有する開始位置指定情報が記憶されているとき、その開始位置指定情報を含み当該開始位置指定情報以後の所定の情報量の文字又は値の行列を前記目標値行列情報として認識することを特徴とする請求項１記載の画像表示装置。
【請求項３】
前記目標値行列情報は、０又は１を示す値の行列で構成され、列方向が出力信号のレベルの大小を示す縦軸に対応し、行方向が入力信号のレベルの大小を示す横軸に対応し、作業者により当該行列中の０又は１のうち所定の一方を示す値の位置に応じて各入力信号のレベルに対応する出力信号のレベルの値を１対１の関係で把握可能な、グラフ状に構成されていることを特徴とする請求項１又は請求項２記載の画像表示装置。
【請求項４】
前記特性値設定部は、前記特性値設定処理において前記ガンマ特性値を設定した後、前記記憶部に記憶された目標値又は前記目標値行列情報を前記記憶部から消去することを特徴とする請求項１乃至請求項３のいずれか一項に記載の画像表示装置。
【発明の詳細な説明】
【技術分野】
【０００１】
本発明は、外部から入力された映像信号に基づいて液晶表示パネルに画像を表示する画像表示装置に関し、特に、画像表示装置の画像処理部における入力された映像信号に対するガンマ補正処理に関する。
【背景技術】
【０００２】
一般に、各画素がオン／オフ駆動されることにより画像を表示する液晶表示パネルを用いた画像表示装置では、液晶パネルにおいて例えば各画素に印加される駆動信号の電圧に応じてその開口率が制御されるが、その電圧と開口率とが必ずしも線形の関係になっていないため、各画素の階調を適正化するために、いわゆるガンマ補正処理を行う必要がある。ガンマ補正処理では、予め設定したガンマ特性値に基づき、入力される映像信号に対する表示画像の階調を調整することにより、表示する画像にいわゆる階調飛びや色つき等が発生しないようにする。ガンマ補正処理は、表示する画像の色調や輝度等を調整する画像処理部により行われる。ガンマ特性値としては、通常、画像表示装置の製造時に、その画像表示装置に使用される液晶表示パネルの種類や制御回路等に応じた適切なものが、メモリ等の記憶部に記憶される。画像表示装置の機種毎における適切なガンマ特性値は、例えば、画像表示装置の標準画質設定時において、実際に、入力された所定の画像信号に対する表示画像の輝度等を測定し、その測定結果に基づいて求められる。しかしながら、このような作業を行う場合、表示画像の輝度等を測定するカラーアナライザ等の測定装置等を用いつつ、作業者が手作業にてガンマ特性値の設定と測定とを繰り返し試行する必要がある。
【０００３】
ところで、例えば、制御回路の入力信号に対応する出力信号の出力レベルの特性をおよそ把握できるような場合には、上記のような適切なガンマ特性値を求める作業を行う前に、所定の目標値などを作業者が入力し、例えば液晶表示パネルの特性を考慮せず制御回路の特性のみを考慮した所望のガンマ特性値を設定することができれば便利である。ここで、例えば特許文献１には、ガンマ特性値をある値に設定したい場合に、外部調整卓のガンマ特性基準値設定装置により設定値を決め、この設定値を、データ転送装置及びＴＶカメラのプロセッサを介しＴＶカメラのガンマ特性基準値を書き換え可能な記憶素子に記憶させ、以後のガンマ特性値とするようにしたＴＶカメラの特性自動調整装置の構成が開示されている。しかしながら、このような特許文献１の構成を応用し所望のガンマ特性値を設定するには、目標値を変更等するのに専用の外部調整卓等の作業環境が必要となるため、その作業環境がない遠隔地では、目標値の編集等を行いにくいという問題がある。また、このようにして制御回路に設定することが考えられる目標値は、通常、制御回路により解釈可能な所定の形式を有するものであり、専用の作業環境がない場合、作業者が一見してもそれがどのような内容を示すものであるかを理解し難いものである。すなわち、作業者が、所望のガンマ特性値を記憶部に設定させるべく、そのガンマ特性値に対応する目標値を入力したり、入力されている目標値を参照し変更を加える作業を行ったりする場合、直感的にその作業を行うことができずないため、作業に手間がかかるという問題がある。
【０００４】
ここで、特許文献２には、ガンマ補正回路の階調表示特性の補正に係るデータをメモリに記憶し、これを呼び出して演算を施して新しい階調表示特性の補正に係るデータとして使うことにより、当初メモリに記憶された階調表示特性の補正に係るデータを簡単に更新することができるようにした液晶表示装置の構成が開示されている。また、特許文献３には、ガンマカーブを、基準値と補正値とを合成することにより可変とし、少ないメモリ容量でガンマカーブを調整可能にしたガンマ補正装置の構成が開示されている。特許文献４には、入力データに応じてメモリから読み出されるガンマ補正データにデータ出力手段の出力データを加算してガンマ補正済みデータを形成することにより、メモリから読み出されるデータのデータ長よりも大きなガンマ補正済みデータを扱えるようにしたディジタルガンマ補正回路の構成が開示されている。しかしながら、これら特許文献２乃至特許文献４に示された技術は、作業者が設定データを入力するような場合に適用可能なものではなく、上記問題点に対し有効な解決策にはなり得ない。
【特許文献１】実開昭５８−１６４３６８号公報
【特許文献２】特開２００６−２５１８１５号公報
【特許文献３】特開平３−２１３０６４号公報
【特許文献４】特開平２−７０１７７号公報
【発明の開示】
【発明が解決しようとする課題】
【０００５】
本発明は、上記問題点を鑑みてなされたものであり、作業者が特殊な作業環境等を用いることなく容易に入力又は変更可能な情報を目標値として、その目標値に基づき所望のガンマ特性値を自動的に設定可能な画像表示装置を提供することを目的とする。
【課題を解決するための手段】
【０００６】
上記目的を達成するため、請求項１の発明は、複数の画素がオン／オフ駆動されることにより画像を表示する液晶表示パネルと、外部から入力された入力信号を処理し出力信号として出力する制御部と、前記複数の画素それぞれに、前記制御部から出力された出力信号の出力レベルに応じた電圧を印加し、各画素を前記出力信号に対応する階調で駆動する駆動回路とを備え、前記制御部は、外部から入力される入力信号と前記出力信号との対応関係を示すガンマ特性値を記憶する記憶部と、前記記憶部が記憶しているガンマ特性値に応じて前記入力信号についてガンマ補正処理を実行する信号処理部とを有する画像表示装置において、前記制御部は、前記記憶部に目標値が記憶されているとき、その目標値に基づき前記ガンマ特性値を変更する特性値設定処理を実行可能な特性値設定部を有しており、前記特性値設定部は、前記記憶部に、所定の情報量で、視認できる状態で出力したときに作業者が図形として認識可能な所定形式の文字又は数値の行列として記録された目標値行列情報を読み取り、その目標値行列情報から算出した値を前記目標値として前記特性値設定処理を実行可能に構成されているものである。
【０００７】
請求項２の発明は、請求項１の発明において、前記特性値設定部は、前記記憶部に所定の態様の文字又は値の羅列を有する開始位置指定情報が記憶されているとき、その開始位置指定情報を含み当該開始位置指定情報以後の所定の情報量の文字又は値の行列を前記目標値行列情報として認識するものである。
【０００８】
請求項３の発明は、請求項１又は請求項２の発明において、前記目標値行列情報は、０又は１を示す値の行列で構成され、列方向が出力信号のレベルの大小を示す縦軸に対応し、行方向が入力信号のレベルの大小を示す横軸に対応し、作業者により当該行列中の０又は１のうち所定の一方を示す値の位置に応じて各入力信号のレベルに対応する出力信号のレベルの値を１対１の関係で把握可能な、グラフ状に構成されているものである。
【０００９】
請求項４の発明は、請求項１乃至請求項３のいずれか一項に記載の画像表示装置において、前記特性値設定部は、前記特性値設定処理において前記ガンマ特性値を設定した後、前記記憶部に記憶された目標値又は前記目標値行列情報を前記記憶部から消去するものである。
【発明の効果】
【００１０】
請求項１の発明によれば、特性値設定部により、ガンマ特性値を目標値に応じて変更させることができるので、予め所定の目標値を設定しておくことにより、その目標値に基づき記憶部のガンマ特性値を自動的に設定させることができる。従って、作業者は、液晶表示パネルの輝度を測定するなど煩雑な手作業をすることなく、所望のガンマ特性値に基づきガンマ補正処理が行われるように、容易に設定することが可能になる。記憶部に所定形式の目標値行列情報を記憶させることにより、特性値設定部が、その目標値行列情報から目標値を算出し特性値設定処理を実行可能であるので、作業者は、目標値行列情報を作成又は編集することにより、目標値を設定又は変更することができる。このとき、目標値行列情報は、例えばプリントアウトしたときに作業者が図形として認識可能なものであるので、作業者は、特別な作業環境等を用いなくても、容易にその内容を把握することができる。従って、作業者は、目標値行列情報を作成又は変更することにより容易に目標値を設定又は変更することができ、所望のガンマ特性値をより容易に設定することができる。
【００１１】
請求項２の発明によれば、特性値設定部は、開始位置指定情報が記憶されている位置に基づいて目標値行列情報を認識可能であるので、記憶部内の目標値行列情報を記録させる位置にかかわらず、その目標値行列情報に基づき目標値を設定することが可能になる。従って、記憶部内に、種々の設定値情報が記憶される場合であっても、それらの情報が記憶されていない空き領域に目標値行列情報を記録させることができ、目標値を設定することができる。
【００１２】
請求項３の発明によれば、目標値行列情報がグラフ状に構成されており、作業者は、入力信号のレベルに対応する出力信号のレベルの値を容易に把握することができるので、目標値行列情報の作成又は変更をより容易に行うことができ、目標値の設定又は変更作業をさらに容易に行うことができる。
【００１３】
請求項４の発明によれば、特性値設定部が、ガンマ特性値が変更され不要となった目標値又は目標値行列情報を記憶部から消去するので、より広い記憶可能領域を記憶部に確保することができる。従って、画像表示装置の動作に必要な記憶部の記憶容量を小さくすることができ、製造コストを低減することができる。
【発明を実施するための最良の形態】
【００１４】
以下、本発明の一実施形態について図面を参照して説明する。図１は、本実施形態に係る画像表示装置の一例としてテレビジョン放送受像機（以下、受像機と称する）を示す。受像機１は、液晶表示パネル２と、外部のアンテナ（図示せず）等から入力された信号を選局するチューナ３と、受像機１の各部を制御する制御部４と、制御部４に制御されチューナ３を制御し受信する信号を選局させる選局部５と、後述するようにチューナ３から制御部４を経由し入力された出力信号に基づき液晶表示パネル２を駆動する駆動回路６と、制御部４により用いられる種々の設定情報等が記憶されるメモリである記憶部７等で構成されている。
【００１５】
液晶表示パネル２は、バックライト（図示せず）と、その前面に縦方向及び横方向に行列をなすように配列された複数の画素（図示せず）を有している。液晶表示パネル２の各画素は、駆動回路６からの駆動電圧が印加されることによりその駆動電圧に応じてバックライトからの光の透過率を変更する液晶素子である。すなわち、液晶表示パネル２は、駆動回路６により各画素が制御部４から出力された出力信号に対応する階調を表示するように駆動されて、その各画素の階調の濃淡により、チューナ３により選局された入力信号に対応する画像を表示する。駆動回路６は、出力信号の出力レベルに応じた駆動電圧で各画素を駆動する。本実施形態において、液晶表示パネル２は、例えば、ＲＧＢそれぞれ２５６階調で各画素を駆動可能に構成されており、いわゆるカラー画像を表示可能に構成されている。
【００１６】
図２は、制御部４及び記憶部７を示す。制御部４は、例えばマイコン等により構成されている。制御部４は、チューナ３から入力された入力信号を処理し出力信号として駆動回路６に出力する信号処理部１０と、所定のオンスクリーン表示を行うためのＯＳＤ（On-Screen Display）表示部１３を有している。信号処理部１０は、液晶表示パネル２に表示する画像のブライトネスやコントラスト等を調整する調整部１１と、入力信号に対しガンマ補正処理を行い出力信号として出力する補正部１２とを有している。
【００１７】
調整部１１は、記憶部７に予め記憶されたイニシャル設定情報や、記憶部７に画像表示装置のユーザにより所定の方法で記憶されたユーザ設定情報等に基づいて、液晶表示パネル２に表示する画像の調整を行う。補正部１２は、記憶部７に予め記憶されたガンマ特性値に基づき、ガンマ補正処理を行う。ガンマ特性値は、用いられている液晶表示パネル２の特性や、制御部４の特性等に応じて、液晶表示パネル２に表示される画像の階調表現が適切になるように、入力信号と出力信号との対応関係を最適化して定められたものである。ガンマ特性値は、受像機１の開発段階において後述のようにして求められ、製造時に記憶部７に記憶されたものである。
【００１８】
ＯＳＤ表示部１３は、例えば、作業者により音量調節等の操作が行われる際、その操作に応じて液晶表示パネル２に所定のオンスクリーン表示を表示させる。オンスクリーン表示は、ＯＳＤ表示部１３が、液晶表示パネル２に表示させるオンスクリーン表示の画像に対応したオンスクリーン表示信号を入力信号に加えて信号処理部１０に入力することにより行われる。ＯＳＤ表示部１３は、例えば、液晶表示パネル２の各画素を、例えば白色から黒色まで２５６段階のいわゆるグレースケールの中から選択した階調で共に駆動し、全画面一色のオンスクリーン表示をさせることができるように構成されている。この場合、ＯＳＤ表示部１３は、その階調で液晶表示パネル２に全画面表示させることを示すオンスクリーン表示信号を信号処理部１０に出力する。出力されたオンスクリーン表示信号が、画質調整処理、ガンマ補正処理等を経て信号処理部１０に出力信号として出力されると、駆動回路６により液晶表示パネル２にてオンスクリーン表示が行われる。
【００１９】
ここで、本実施形態において、制御部４は、記憶部７に記憶されたガンマ特性値を変更する特性値設定処理を行う特性値設定部２１と、補正部１２により出力された出力信号の出力レベルを測定する測定部２２とを有している。受像機１は、特性値設定処理を行うことにより、例えばその開発段階において画質設定作業が行われる前のような、ガンマ特性値が例えば全く最適化されていない状態から、ガンマ特性値を、例えば液晶表示パネル２の階調特性を考慮せず信号処理部１０の特性のみを考慮した所望の設定値まで、自動的に設定させることができるように構成されている。この特性値設定処理は、例えば、作業者等が、制御部４と通信可能な入力機器や計算機等を用いて、制御部４に所定のコマンド等を送信すること等により実行開始される。実行前には、予め、所望のガンマ特性値に対応するような所定の目標値を、記憶部７に記憶させておく。所定の目標値としては、例えば、所望のガンマ特性値によりガンマ補正処理が行われるようなときに入力信号に対し出力されることになる出力信号の出力レベルの値が記憶されている。所定の目標値は、例えば、ＯＳＤ表示部１３から出力可能な複数の階調（例えば、２５６階調）を示す各入力信号の入力レベルに対応するように設定されている。なお、特性値設定処理を実行する際には、制御部４や記憶部７等が搭載された回路基板に、液晶表示パネル２や駆動回路６等を接続する必要がないため、例えば開発初期段階においても、回路基板単体のみを用いて当該特性値設定処理を実行することができる。
【００２０】
ところで、本実施形態において、特性値設定処理を行う際には、目標値に替えて、目標値行列情報を記憶部７に記憶させることができる。目標値行列情報は、後述するように、例えばプリントアウトしたり外部機器のディスプレイに表示したりする等、視認可能に出力したときに、作業者がグラフとして認識可能なものである。特性値設定部２１は、データ変換部２３を有しており、後述のようにデータ変換部２３により目標値行列情報から算出された値を目標値として、特性値設定処理を行う。
【００２１】
図３（ａ）、（ｂ）は、目標値行列情報の一例を示す。目標値行列情報は、例えば、０又は１を示す値を８つ有する８ビットすなわち１バイトの行が１０列に並び、１０バイトの情報量を有する行列を成すように構成されたものであり、例えば、記憶部７内のロムコレクションデータ保存領域に記憶させておくことができるものである。図において、メモリアドレスが００１０より後の記憶部７の領域は、目標値行列情報ではなく、他の種々の情報を記録可能であることを示す。本実施形態において、目標値行列情報のうち先頭の２バイト分の領域（図の斜線掛部）には、値が予め定められた態様で羅列された開始位置指定情報が設けられている。特性値設定部２１は、開始位置指定情報を認識することにより、その開始位置指定情報を含み当該開始位置指定情報以後の８バイトの値の行列を目標値行列情報として記憶部７から読み込むことができるように構成されている。開始位置指定情報としては、例えば、１の値と０の値とが交互に並んだものが用いられる。なお、開始位置指定情報の値の羅列の態様はこれに限られず、他の情報から区別可能な特有のものであればよい。また、開始位置指定情報の情報量は、２バイトに限られるものではない。
【００２２】
目標値行列情報のうち開始位置指定情報から後に並ぶ８バイトの行列は、図に示すように、各行に数ビットの１の値を有し、その他のビットは０の値を有するように構成されている。この８バイトの行列は、作業者により、グラフとして認識可能な形式で構成されている。すなわち、当該行列は、図に２点鎖線で示すように、列方向が出力信号のレベルの大小を示す縦軸に対応し、行方向が入力信号のレベルの大小を示す横軸に対応し、その行列中の１の値の位置により、入力信号のレベルに対応する出力信号の値を作業者が１対１の関係で把握可能なグラフ状に構成されている。例えば、図３（ａ）に示す例では、当該行列中で１の値が略直線上に並んでおり、当該行列を上記グラフとして見たときに、入力信号と出力信号との関係が線形であると認識することができ、ある入力信号のレベルの値に対し、出力信号のレベルの値を１つ特定することができる。他方、図３（ｂ）に示す例では、当該行列中で１の値が上述のような直線上には並んでおらず、図に２点鎖線で示すように、入力信号と出力信号との非線形な関係を認識することができる。
【００２３】
図４及び図５は、特性値設定処理の流れを示す。特性値設定処理が開始されると、特性値設定部２１は、記憶部７の中に記憶されているデータを読み込み（Ｓ１１）、その中に目標値データがあるかどうかを判別する（Ｓ１２）。目標値又は目標値行列情報が存在しなければ、ガンマ特性値の設定を行うことなく、特性値設定処理を終了する（Ｓ１２：ＮＯ）。目標値又は目標値行列情報が存在していれば（Ｓ１２：ＹＥＳ）、特性値設定部２１はその目標値又は目標値行列情報を取り込む（Ｓ１３）。ここで、記憶部７に目標値がそのまま記憶されている場合には、特性値設定部２１は、取り込んだ目標値に基づいて、後述するガンマ特性値変更を行う（Ｓ１４）。他方、記憶部７に目標値行列情報が記憶されている場合には、データ変換部２３により、その目標値行列情報から目標値を算出し、その算出された目標値に基づいてガンマ特性設定を行う（Ｓ１４）。このとき、データ変換部２３は、目標値行列情報を所定の形式に従って解釈し、目標値を算出する。例えば、目標値行列情報が図３（ａ）に示すように構成されている場合には、入力信号と出力信号との関係が線形であると解釈し、目標値として、２５６階調に対応するそれぞれの入力レベルに略線形に対応するような出力レベルの値を算出する。他方、目標値行列情報において、図３（ｂ）に示すように、１の値が略直線状に並んでいないときには、例えば、各階調の入力レベルに対応する出力レベルの値として、入力レベルが小さい方から大きい方まで、１の値の位置を順に制御点としてになるようなベジエ曲線上に位置するような値を算出し、目標値とする。なお、目標値の算出方法はこれに限られるものではなく、例えば、１の値を順になめらかに結ぶ曲線上に位置するような値を算出したり、１の値を順に結ぶ線上に位置するような値を算出したりするように構成されていてもよい。
【００２４】
ガンマ特性値変更は、例えば、以下のようにして行われる。図５に示すように、先ず、特性値設定部２１は、記憶部７に記憶されているガンマ特性値を初期化する（Ｓ３１）。これにより、例えば、ガンマ特性値は、入力信号と出力信号の互いの出力レベルが等しくなる線形特性に設定される。初期化が終了すると、制御部４は、ＯＳＤ表示部１３から、ＲＧＢ各色の出力が最大である白色のオンスクリーン表示が行われるようにオンスクリーン表示信号を出力させる（Ｓ３２）。オンスクリーン表示信号が出力されると、画質調整が行われた後、補正部１２によりその時点で記憶部７に記憶されているガンマ特性値に応じてガンマ補正処理が行われる。測定部２２は、ガンマ補正処理が行われて出力された出力信号の出力レベルを測定する（Ｓ３３）。
【００２５】
次に、特性値設定部２１は、上記のように読み取られた目標値又は算出された目標値と測定部２２により測定された出力レベルの測定値とを比較する比較処理を行う（Ｓ３４）。このとき、目標値のうち、そのときＯＳＤ表示部１３によりオンスクリーン表示される階調に対応する値を測定値と比較する。比較処理において、目標値と測定値とが異なり、目標値と測定値との差が所定の閾値範囲外であれば、特性値設定部２１は、ガンマ補正処理が行われて出力された出力信号の出力レベルの値が目標値に近づくようにガンマ特性値の当該階調に対応する値を変更するフィードバック制御を行う（Ｓ３５：ＮＯ，Ｓ３６）。その後、特性値設定部２１は、変更後のガンマ特性値に基づいてガンマ補正処理が行われて出力された出力信号の出力レベルの測定値と目標値との差が所定の閾値範囲内であれば、当該階調におけるガンマ特性値が最適化されたとして、ガンマ特性値の調整を終了する（Ｓ３５：ＹＥＳ）。
【００２６】
白色の階調におけるガンマ特性値の調整が終了すると、制御部４は、オンスクリーン表示信号のＲＧＢそれぞれの出力が最小（例えば、最も暗い黒色）でないことを確認する（Ｓ３７：ＮＯ）。そして、ＯＳＤ表示部１３から、ＲＧＢそれぞれの出力を１段階小さくした階調のオンスクリーン表示を行うようにオンスクリーン表示信号を出力させる（Ｓ３８）。換言すると、このとき、例えば２５６階調のグレースケールのうち最も明るい白色の次に明るいグレー色のオンスクリーン表示を行う。このようにオンスクリーン表示の階調を変更した後、その階調においても、上述と同様に、測定部２２による測定（Ｓ３３）、特性値設定部２１による比較処理（Ｓ３４）及びガンマ特性値の最適化処理（Ｓ３５，Ｓ３６）を行う。そして、オンスクリーン表示信号のＲＧＢそれぞれの出力が最小ではないことを確認し（Ｓ３７：ＮＯ）、オンスクリーン表示の階調をさらに１段階小さくし、同様にガンマ特性値の最適化処理を行う。制御部４は、このように、白色から黒色まで２５５段階のそれぞれの階調について、順次、ガンマ特性値の最適化処理を行うように構成されている。オンスクリーン表示の階調が最低になり、その階調についてガンマ特性値の最適化処理が行われると、制御部４は、オンスクリーン表示信号のＲＧＢそれぞれの出力が最小である旨確認する（Ｓ３７：ＹＥＳ）。そして、特性値設定部２１は、２５５段階のすべての階調について最適化処理が行われたガンマ特性値を記憶部７に記憶させ（Ｓ３９）、ガンマ特性値変更を終了する。
【００２７】
ガンマ特性値変更が終了し、所望のガンマ特性値が設定されると、図４に示すように、特性値設定部２１は、記憶部７に記憶された目標値又は目標値行列情報を記憶部７から消去する（Ｓ１５）。すなわち、これにより、所望のガンマ特性値の設定が行われ不要となった目標値又は目標値行列情報が記憶部７から削除され、当該目標値又は目標値行列情報と同じ情報量の情報の記憶可能領域が記憶部７に確保される。目標値又は目標値行列情報が消去されると、特性値設定処理が終了する。
【００２８】
このように、本実施形態においては、記憶部７に予め所定の目標値を設定しておくことにより、その目標値に基づき上述のようにフィードバック制御を行い、記憶部７のガンマ特性値を所望の値に自動的に設定させることができる。そのため、作業者は、その受像機１における画質設定作業時に適切なガンマ特性値を求めるにあたり、自動的に設定されたガンマ特性値によりガンマ補正処理が行われるような状態にした後、手作業によりガンマ特性値の微調整を行うことができる。従って、作業者は、容易に且つ短時間の作業で適切なガンマ特性値を求めることができる。特性値設定処理では、受像機１に内蔵のＯＳＤ表示部１３を利用することにより、受像機１とは別の入力信号源等を用いることなく、所望のガンマ特性値を自動的に設定することができ、また、カラーアナライザ等を用いず、液晶表示パネル２や駆動回路６等を組み付けていない状態でも自動的にガンマ特性値を設定することができるので、画質設定作業をより容易に行うことができる。また、例えば２５６階調それぞれについて制御部４がガンマ特性値を最適化するフィードバック制御を行うので、所望のガンマ特性値をより詳細に設定させることができる。従って、作業者は、所望のガンマ特性値が設定された状態から、短時間の手作業を行うことにより、適切なガンマ特性値を容易に求めることができる。
【００２９】
また、記憶部７に目標値行列情報を記憶させることにより、特性値設定部２１のデータ変換部２３により、その目標値行列情報から目標値が算出されるので、作業者は、目標値行列情報を作成又は編集することにより、記憶部７に目標値を設定または変更することができる。このとき、目標値行列情報は、視認可能な状態で出力したときに、作業者が入力信号のレベルに対応する出力信号のレベルの値を容易に把握することができるグラフとして認識可能なものであるので、作業者は、特別な作業環境等を用いなくても、容易にその内容を把握することができる。従って、作業者は、目標値行列情報を作成又は変更することにより容易に目標値を設定又は変更することができ、所望のガンマ特性値をより容易に設定することができる。
【００３０】
さらにまた、特性値設定部２１は、開始位置指定情報が記憶されている位置に基づいて目標値行列情報を認識可能であるので、記憶部７内の目標値行列情報を記録させる位置にかかわらず、その目標値行列情報に基づき目標値を設定することが可能になる。従って、記憶部７内に、ユーザ設定情報等、種々の設定値情報が記憶される場合であっても、それらの情報が記憶されていない空き領域に目標値行列情報を記録させることができ、それに基づき目標値を設定することができる。また、特性値設定部が、ガンマ特性値が変更され不要になった目標値又は目標値行列情報を記憶部７から消去するので、広い記憶可能領域を記憶部７に確保することができる。従って、画像表示装置１の動作に必要な記憶部７の記憶容量を小さくすることができ、製造コストを低減することができる。
【００３１】
なお、本発明は上記実施形態の構成に限定されるものではなく、発明の趣旨を変更しない範囲で適宜に種々の変形が可能である。例えば、目標値行列情報は、１０バイトの大きさに限られず、さらに情報量が大きく、より細かな設定を行うことができるような形式であってもよい。また、目標値行列情報は、上記のようなグラフ状に認識可能な形式に限られず、作業者により他の態様のグラフや図形として認識可能な形式で示されるように設定されていてもよい。さらにまた、目標値行列情報は、０又は１を示す値の行列により作業者にグラフ状に認識可能に構成されているものに限られず、所定形式の種々の文字や数値の行列として記録されていてもよい。
【００３２】
また、制御部は、ガンマ特性値の最適化処理をすべての階調については行わず、例えば２５５段階のうち１５段階毎にオンスクリーン表示の階調を変化させ、それぞれの階調についてガンマ特性値の最適化処理を行うように構成されていてもよい。この場合、目標値は、ガンマ特性値の最適化処理を行う１５段階毎の階調それぞれに設定されていればよく、予め記憶部に記憶させておく目標値の情報量を小さくすることができ、また、データ変換部は、必要な階調の入力信号のレベルに対応する出力信号のレベルを目標値行列情報より算出するように構成することができる。さらにまた、特性値設定部は、記憶されている目標値や目標値行列情報から算出された目標値に基づいて算出した値と、測定部により測定された測定値から算出した値とを比較し、ガンマ特性値の最適化を行うように構成されていてもよい。さらにまた、本発明は、受像機１に限らず、外部の映像再生装置や電子計算機等から出力された入力信号を液晶表示パネルに表示可能なディスプレイなどであっても、同様に適用することが可能なものである。
【図面の簡単な説明】
【００３３】
【図１】本発明の一実施形態に係る画像表示装置を示すブロック図。
【図２】上記装置の制御部及び記憶部を示すブロック図。
【図３】（ａ）、（ｂ）は上記装置の特性値設定処理に用いられる目標値行列情報の一例を示す図。
【図４】上記装置の特性値設定処理の流れを示すフローチャート。
【図５】上記特性値設定処理において行われるガンマ特性値変更の流れを示すフローチャート。
【符号の説明】
【００３４】
１  画像表示装置
４  制御部
５  駆動回路
６  液晶表示パネル
７  記憶部
１０  信号処理部
２１  特性値設定部
【図１】
2009103859.tif 000003
【図２】
2009103859.tif 000004
【図３】
2009103859.tif 000005
【図４】
2009103859.tif 000006
【図５】
2009103859.tif 000007